(57)【要約】【課題】店舗内のユーザが時間を持て余すことを抑制することができること。【解決手段】情報処理システムは、端末装置とネットワークとを接続するネットワーク接続手段と、ネットワークに接続し、かつ端末装置からの画像情報の配信の予約を受け付ける受付予約手段と、受付予約手段が予約を受け付けた端末装置から無料で配信することが定められた画像情報の配信要求を受け付けると、無料で配信することが定められた画像情報を、受付予約手段が予約を受け付けた端末装置に配信する画像情報配信手段と、を備える。【選択図】図１２
2019164545.tif 000002
【特許請求の範囲】
【請求項１】
端末装置とネットワークとを接続するネットワーク接続手段と、
前記ネットワークに接続し、かつ前記端末装置からの画像情報の配信の予約を受け付ける受付予約手段と、
前記受付予約手段が予約を受け付けた前記端末装置から無料で配信することが定められた画像情報の配信要求を受け付けると、前記無料で配信することが定められた画像情報を、前記受付予約手段が予約を受け付けた前記端末装置に配信する画像情報配信手段と、
を備える情報処理システム。
【請求項２】
前記端末装置は、
前記受付予約手段への前記画像情報の配信の予約を完了すると、前記無料で配信することが定められた画像情報の無料の配信を受けることが可能であることを示す無料配信受信可能表示を表示する表示手段を備える
請求項１に記載の情報処理システム。
【請求項３】
前記受付予約手段は、
前記端末装置からの前記画像情報の配信の予約を完了すると、前記画像情報の配信の予約を受け付けた前記端末装置に対して、予約が完了したことを示す予約完了情報を送信し、
前記端末装置は、前記予約完了情報を受信すると、前記無料配信受信可能表示を前記表示手段に表示する
請求項２に記載の情報処理システム。
【請求項４】
前記端末装置は、
前記画像情報を視聴するためのアプリケーションソフトウェアを記憶手段にインストール済みである場合に、前記無料配信受信可能表示として、前記アプリケーションソフトウェアを起動するための起動開始表示を前記表示手段に表示し、
前記画像情報を視聴するためのアプリケーションソフトウェアを記憶手段に未インストールである場合に、前記無料配信受信可能表示として、前記アプリケーションソフトウェアをインストールするためのインストール開始表示を前記表示手段に表示する
請求項２又は請求項３に記載の情報処理システム。
【請求項５】
前記端末装置は、
特定のアクセスポイントを介して前記ネットワークに接続した状態で、前記受付予約手段への前記画像情報の配信の予約が完了して、前記無料で配信することが定められた画像情報の配信要求を前記画像情報配信手段に送信する際に、前記特定のアクセスポイントを識別するためのアクセスポイント識別情報を送信する
請求項１に記載の情報処理システム。
【請求項６】
前記端末装置が、前記特定のアクセスポイントを介して前記ネットワークに接続した状態で、前記無料で配信することが定められた画像情報の配信を受けることが許容される配信時間又は配信回数の上限が設定される
請求項５に記載の情報処理システム。
【請求項７】
前記受付予約手段が予約を受け付けた前記端末装置から画像情報の予約の破棄を受け付けると、前記画像情報配信手段が前記無料で配信することが定められた画像情報の配信を終了する
請求項６に記載の情報処理システム。
【請求項８】
前記画像情報配信手段は、
複数の端末装置同士を識別するための識別管理情報を記憶し、
前記ネットワーク接続手段と接続した端末装置から送信された端末識別情報とともに前記無料で配信することが定められた画像情報の配信要求を受け付けて、受け付けた端末識別情報が前記識別管理情報に記憶されていると、前記無料で配信することが定められた画像情報を、前記端末装置に配信する
請求項１に記載の情報処理システム。
【請求項９】
前記端末装置は、
前記ネットワークの接続後に、前記無料で配信することが定められた画像情報の無料の配信を受けることが可能であることを示す無料配信受信可能表示を表示する表示手段を備える
請求項８に記載の情報処理システム。
【請求項１０】
前記端末装置は、
前記画像情報を視聴するためのアプリケーションソフトウェアを記憶手段にインストール済みである場合に、前記無料配信受信可能表示として、前記アプリケーションソフトウェアを起動するための起動開始表示を前記表示手段に表示する
請求項９に記載の情報処理システム。
【請求項１１】
前記画像情報配信手段は、
各端末装置毎に配信した画像情報の嗜好を示す嗜好情報を記憶し、
前記端末装置から前記無料で配信することが定められた画像情報の一覧を示す一覧情報の要求を受け付けると、前記一覧情報を送信するとともに、前記一覧情報には配信頻度の高い前記嗜好情報の画像情報が優先される
請求項８に記載の情報処理システム。
【請求項１２】
前記画像情報配信手段は、
前記受付予約手段が前記画像情報の配信の予約が完了した端末装置から前記無料で配信することが定められた画像情報の配信要求を受け付けると、無料で配信することが定められた画像情報を、前記受付予約手段が予約を受け付けた前記端末装置のみに配信する
請求項８に記載の情報処理システム。
【請求項１３】
前記画像情報配信手段は、
前記無料で配信することが定められた画像情報の配信中に配信の中断要求を送信した端末装置から、中断した前記画像情報の配信要求を受け付けると、前記画像情報を中断直後から配信する
請求項８に記載の情報処理システム。
【請求項１４】
ネットワーク接続手段とネットワークとを介して接続した端末装置から受付予約手段が画像情報の配信の予約を受け付けた後に、画像情報配信手段が前記端末装置から無料で配信することが定められた画像情報の配信要求を受け付ける無料配信受付ステップと、
前記画像情報配信手段が、前記無料で配信することが定められた画像情報を前記受付予約手段が予約を受け付けた前記端末装置に配信する無料配信ステップと、
を含む情報処理方法。
【発明の詳細な説明】
【技術分野】
【０００１】
本発明は、情報処理システム及び情報処理方法に関する。
【背景技術】
【０００２】
携帯電話の通信サービスを提供している企業が契約中のユーザに画像情報である動画データを有料で配信する動画配信サービスが、既に知られている。
【０００３】
また、端末装置が再生対象コンテンツを再生するコンテンツ再生システムが、提案されている（例えば、特許文献１参照）。特許文献１に示されたコンテンツ再生システムは、端末装置が、サーバから受信した日時情報により示される日時が再生対象コンテンツの再生が許可される再生許可日時以降であるか否かを判定する。コンテンツ再生システムは、端末装置が再生対象コンテンツの再生が許可される再生許可日時以降であると判定した場合、端末装置が再生対象コンテンツを視聴するための再生指示情報を生成し、再生装置へ送信する。そして、コンテンツ再生システムは、再生装置が再生指示情報を受信し、再生装置が記憶している再生対象コンテンツを再生することにより、容易に、日時の条件が設けられたコンテンツを端末装置で視聴することができる。
【発明の概要】
【発明が解決しようとする課題】
【０００４】
しかしながら、従来の動画配信システムは、動画データの予約処理に特化しているために、受付予約後、店舗内にいるユーザが時間を持て余すという問題があった。
【０００５】
また、携帯電話の通信サービスを提供している企業が契約中のユーザ向けに提供する有料の動画配信サービスは、スマートデバイスにプリインストールされているアプリケーションソフトウェアを起動することにより、ユーザが動画データを視聴することができる。しかしながら、有料の動画配信サービスは、有料のサービスであるため、一度もアプリケーションソフトウェアが起動されず動画配信サービスの価値を理解してもらう機会が少ないという問題があった。
【０００６】
本発明は、上記に鑑みてなされたものであって、店舗内のユーザが時間を持て余すことを抑制することができる情報処理システム及び情報処理方法を提供することを目的とする。
【課題を解決するための手段】
【０００７】
上述した課題を解決し、目的を達成するために、本発明は、端末装置とネットワークとを接続するネットワーク接続手段と、前記ネットワークに接続し、かつ前記端末装置からの画像情報の配信の予約を受け付ける受付予約手段と、前記受付予約手段が予約を受け付けた前記端末装置から無料で配信することが定められた画像情報の配信要求を受け付けると、前記無料で配信することが定められた画像情報を、前記受付予約手段が予約を受け付けた前記端末装置に配信する画像情報配信手段とを備えることを特徴とする。
【発明の効果】
【０００８】
本発明は、店舗内のユーザが時間を持て余すことを抑制することができるという効果を奏する。
【図面の簡単な説明】
【０００９】
【図１】図１は、実施形態１に係る情報処理システムのシステム構成を示す図である。
【図２】図２は、図１に示された情報処理システムの受付予約サーバ及び動画配信サーバのハードウェア構成を示すブロック図である。
【図３】図３は、図１に示された情報処理システムの端末装置のハードウェア構成を示すブロック図である。
【図４】図４は、図１に示された情報処理システムの仲介機のハードウェア構成を示すブロック図である。
【図５】図５は、図１に示された情報処理システムの受付予約サーバの構成を示す機能ブロック図である。
【図６】図６は、図５に示された受付予約サーバの予約データベース内に生成されるデータの一例を示す図である。
【図７】図７は、図１に示された情報処理システムの動画配信サーバの構成を示す機能ブロック図である。
【図８】図８は、図７に示された動画配信サーバの動画データベース内のデータの一例を示す図である。
【図９】図９は、図７に示された動画配信サーバのアクセス管理データベース内に生成されるデータの一例を示す図である。
【図１０】図１０は、図７に示された動画配信サーバの動画データベース内に生成されるユーザ情報データの一例を示す図である。
【図１１】図１１は、図１に示された情報処理システムの端末装置の構成を示す機能ブロック図である。
【図１２】図１２は、実施形態１に係る情報処理システムの受付予約サーバに動画データの配信の予約が完了した後の動作を示すシーケンス図である。
【図１３】図１３は、図１２に示されたステップＳＴ２において表示部に表示する無料配信受信可能表示の一例を示す図である。
【図１４】図１４は、図１２に示されたステップＳＴ２において表示部に表示する無料配信受信可能表示の他の例を示す図である。
【図１５】図１５は、図１２に示されたステップＳＴ５において動画配信サーバが送信する一覧情報の一例を示す図である。
【図１６】図１６は、図１２に示されたステップＳＴ６において動画配信サーバが実施するフローチャートである。
【図１７】図１７は、実施形態１に係る情報処理システムの端末装置が仲介機を介してネットワークに接続した後の動作を示すシーケンス図である。
【図１８】図１８は、図１７に示されたステップＳＴ１７において動画配信サーバが送信する一覧情報の一例を示す図である。
【図１９】図１９は、図５に示された受付予約サーバの予約データベース内に生成されるデータの変形例を示す図である。
【図２０】図２０は、図８に示された動画配信サーバの動画データベース内のデータの変形例を示す図である。
【発明を実施するための形態】
【００１０】
以下に添付図面を参照して、情報処理システム及び情報処理方法の実施形態を詳細に説明する。
【００１１】
〔実施形態１〕
図１は、実施形態１に係る情報処理システムのシステム構成を示す図である。図２は、図１に示された情報処理システムの受付予約サーバ及び動画配信サーバのハードウェア構成を示すブロック図である。図３は、図１に示された情報処理システムの端末装置のハードウェア構成を示すブロック図である。図４は、図１に示された情報処理システムの仲介機のハードウェア構成を示すブロック図である。
【００１２】
実施形態１に係る情報処理システム１は、ユーザの端末装置２に対して画像情報である動画データ１０を有料で配信するシステムである。なお、本発明では、画像情報は、動画データ１０に限定されずに、例えば、静止画のデータなどの各種の画像情報でも良い。情報処理システム１は、図１に示すように、端末装置２と、ネットワーク６及びネットワークであるＬＡＮ（Local  Area  Network）８とを接続するネットワーク接続手段である仲介機３と、ネットワーク６及びＬＡＮ８に接続された受付予約手段である受付予約サーバ４と、ネットワーク６に接続された画像情報配信手段である動画配信サーバ５とを備える。実施形態１では、ネットワーク６は、インターネット等の広域通信網（ＷＡＮ：Wide  Area  Network）である。
【００１３】
また、実施形態１において、ＬＡＮ８は、携帯電話の通信サービスを提供している企業の携帯電話の販売、通信サービスの各種の手続等を行う店舗７に設置された無線ＬＡＮ又は有線ＬＡＮである。また、実施形態１において、仲介機３と受付予約サーバ４とは、店舗７に設置されている。実施形態１において、仲介機３と受付予約サーバ４とは、店舗７内においてＬＡＮ８により相互に情報通信可能に接続している。実施形態１において、仲介機３と受付予約サーバ４とは、動画配信サーバ５等の店舗７外の機器とネットワーク６を介して情報通信可能に接続している。また、仲介機３は、端末装置２がネットワーク６及びＬＡＮ８に接続する際のアクセスポイントであるとともに、特許請求の範囲に記載された特定のアクセスポイントである。即ち、実施形態１では、特定のアクセスポイントとは、店舗７内の仲介機３であるが、本発明では、店舗７内の仲介機３に限定されない。実施形態１に係る情報処理システム１は、ユーザの端末装置２が店舗７内において仲介機３を介してネットワーク６及びＬＡＮ８に接続して、受付予約サーバ４に動画データ１０の配信を予約するシステムである。
【００１４】
（受付予約サーバ及び動画配信サーバのハードウェア構成）
受付予約サーバ４及び動画配信サーバ５は、一般的なサーバ装置又はＰＣ(Personal  Computer)等のコンピュータと同様の構成を含む。実施形態１に係る受付予約サーバ４及び動画配信サーバ５は、図２に示すように、ＣＰＵ(Central  Processing  Unit)１１、ＲＡＭ(Random  Access  Memory)１２、ＲＯＭ(Read  Only  Memory)１３、記憶手段であるＨＤＤ(Hard  Disk  Drive)１４、Ｉ／Ｆ１５及びネットワークＩ／Ｆ１９がバス１６を介して相互に情報通信可能に接続されている。また、Ｉ／Ｆ１５には、表示手段である表示部１７及び操作部１８が接続されている。
【００１５】
ＣＰＵ１１は、演算手段であり、受付予約サーバ４及び動画配信サーバ５全体の動作を制御する。ＲＡＭ１２は、情報の高速な読み書きが可能な揮発性の記憶媒体であり、ＣＰＵ１１が情報を処理する際の作業領域として用いられる。ＲＯＭ１３は、読み出し専用の不揮発性記憶媒体であり、ファームウェア等のプログラムが格納されている。ＨＤＤ１４は、情報の読み書きが可能な不揮発性の記憶媒体であり、ＯＳ(Operating  System)や各種の制御プログラム、アプリケーション・プログラム等が格納される。
【００１６】
Ｉ／Ｆ１５は、バス１６と各種のハードウェアとを接続し制御する。ネットワークＩ／Ｆ１９は、受付予約サーバ４及び動画配信サーバ５がネットワーク６を介して他の機器と通信するためのインタフェースである。ネットワークＩ／Ｆ１９は、バス１６、ネットワーク６及びＬＡＮ８を接続し制御するものであり、Ethernet(登録商標)等のインタフェースが用いられる。
【００１７】
表示部１７は、各種の情報を表示するための視覚的ユーザーインタフェースである。表示部１７は、液晶ディスプレイ（ＬＣＤ：Liquid  Crystal  Display）、有機ＥＬディスプレイ（ＯＥＬＤ：Organic  Electro-Luminescence  Display）、又は無機ＥＬディスプレイ（ＩＥＬＤ：Inorganic  Electro-Luminescence  Display）により構成される。表示部１７は、文字、静止画像、動画像、記号、及び図形を表示する。操作部１８は、キーボードやマウス等、ユーザが情報処理装置に情報を入力するためのユーザーインタフェースである。ＲＯＭ１３、ＲＡＭ１２又はＨＤＤ１４等の記憶手段には、サーバ４，５の情報処理プログラムが記憶されている。
【００１８】
（端末装置のハードウェア構成）
端末装置２は、ユーザが持ち運び可能な携帯電子機器である。実施形態１において、端末装置２は、タブレット、携帯型コンピュータ又はスマートフォン等の携帯電話であるが、ユーザが持ち運び可能な携帯電子機器であれば、タブレット、携帯型コンピュータ又はスマートフォン等の携帯電話に限定されない。端末装置２は、前述した受付予約サーバ４及び動画配信サーバ５の各構成要素に加え、近距離通信Ｉ／Ｆ２０を備える。なお、端末装置２は、受付予約サーバ４及び動画配信サーバ５と同一部分に同一符号を付して説明を省略する。
【００１９】
近距離通信Ｉ／Ｆ２０は、端末装置２が近距離無線通信により他の機器と通信するためのインタフェースであり、Bluetooth(登録商標)、又はWiFi(Wireless  Fidelity)等のインタフェースが用いられる。
【００２０】
端末装置２の操作部１８は、ユーザからの操作入力を受け付ける。実施形態１において、操作部１８は、表示部１７に重ねられたタッチスクリーンである。操作部１８は、指、ペン、又はスタイラスペンの接触又は近接を検出する。操作部１８は、指、ペン、又はスタイラスペンが接触又は近接したときの操作部１８上の位置を検出する。本明細書は、操作部１８が検出する複数の指、ペン、及びスタイラスペンを、総称して「指」と表記する場合がある。本明細書は、操作部１８が検出した指が接触又は近接した位置を「検出位置」と表記する場合がある。操作部１８は、指の接触を検出位置とともにＣＰＵ１１に送信する。操作部１８は、静電容量方式、抵抗膜方式、表面弾性波方式、超音波方式、赤外線方式、電磁誘導方式、又は荷重検出方式を検出方式として採用したタッチスクリーンにより構成される。
【００２１】
（仲介機のハードウェア構成）
仲介機３は、端末装置２とネットワーク６とを接続するものである。実施形態１において、仲介機３は、図４に示すように、マイクロコンピュータを構成するＣＰＵ３１、ＲＯＭ３２、ＲＡＭ３３、有線通信Ｉ／Ｆ３４、無線通信Ｉ／Ｆ３５、及び近距離通信Ｉ／Ｆ３６を備えている。ＣＰＵ３１、ＲＯＭ３２、ＲＡＭ３３、有線通信Ｉ／Ｆ３４、無線通信Ｉ／Ｆ３５、及び近距離通信Ｉ／Ｆ３６は、バス３７によって相互に情報通信可能に接続されている。
【００２２】
ＣＰＵ３１は、ＲＡＭ３３をワークエリアとしてＲＯＭ３２に記憶されたプログラムを選択的に実行することにより、仲介機３の全体を制御し、サーバ４，５、端末装置２との通信制御を含む各種機能を実現する。したがって、このＣＰＵ３１が、仲介機３において、本発明に係わる各種機能を実現するための処理を行う中央処理装置（マイクロプロセッサ）である。ＲＯＭ３２は、ＣＰＵ３１が実行する各プログラムとその実行に必要な固定データ等を予め記憶した読み出し専用のメモリである。ＲＡＭ３３は、ＣＰＵ３１がプログラムを実行する際のワークエリアとして使用するとともに、一時的なデータを記憶する読み書き可能なメモリである。
【００２３】
有線通信Ｉ／Ｆ３４は、ＬＡＮ（Local  Area  Network）８を介して受付予約サーバ４と通信するためのインタフェースである。また、有線通信Ｉ／Ｆ３４は、ネットワーク６を介して動画配信サーバ５と通信するためのインタフェースである。近距離通信Ｉ／Ｆ３６は、近距離通信を介して端末装置２と通信するためのインタフェースであり、Bluetooth(登録商標)、又はWiFi(Wireless  Fidelity)等のインタフェースが用いられる。仲介機３は、有線通信Ｉ／Ｆ３４、無線通信Ｉ／Ｆ３５及び近距離通信Ｉ／Ｆ３６を備えて、端末装置２と受付予約サーバ４とを情報通信可能に接続するとともに、端末装置２と動画配信サーバ５とを情報通信可能に接続する。
【００２４】
（受付予約サーバの機能構成）
図５は、図１に示された情報処理システムの受付予約サーバの構成を示す機能ブロック図である。図６は、図５に示された受付予約サーバの予約データベース内に生成されるデータの一例を示す図である。
【００２５】
受付予約サーバ４は、ネットワーク６及びＬＡＮ８に接続し、かつ端末装置２からの動画データ１０の配信の予約を受け付けるものである。受付予約サーバ４は、図５に示すように、コントローラ４０、前述したネットワークＩ／Ｆ１９及び予約データベース４１を含む。
【００２６】
コントローラ４０は、ソフトウェアとハードウェアとの組み合わせによって構成され、受付予約サーバ４全体を制御する制御手段として機能する。コントローラ４０は、図５に示すように、機器監視部４２、コマンド解析部４３、ネットワーク制御部４４、及び予約管理部４５を含む。
【００２７】
機器監視部４２は、ネットワーク６及びＬＡＮ８に接続されている機器と、その状態を監視し、利用できる機能を管理する。コマンド解析部４３は、端末装置２から受けたコマンド指示（予約登録、確認、更新又は削除）を解析し、予約管理部４５に通知する。予約管理部４５は、コマンド解析部４３から通知された情報から端末装置２を特定する為の個人識別情報を取りだして予約データベース４１に対しコマンド指示に応じた処理を行って、予約データベース４１内に図６に示すデータ４６を生成する。ネットワーク制御部４４は、ネットワークＩ／Ｆ１９を介して入力される情報を取得すると共に、ネットワークＩ／Ｆ１９を介して他の機器に情報を送信する。
【００２８】
なお、図５に示すコントローラ４０の機器監視部４２、コマンド解析部４３、予約管理部４５及びネットワーク制御部４４の機能は、ＲＯＭ１３に格納されたプログラムや、ＨＤＤ１４若しくは光学ディスク等の記憶媒体からＲＡＭ１２に読み込まれたプログラムに従ってＣＰＵ１１が演算を行うことにより実現される。予約データベース４１の機能は、ＨＤＤ１４により実現される。
【００２９】
図６に示すデータ４６は、動画データ１０の予約毎に各ユーザに関する情報４７と、ユーザが動画データ１０の配信を予約した店舗７に関する情報４８と、配信可能時間４９とを対応付けている。実施形態１において、店舗７に関する情報４８は、各店舗７即ちアクセスポイント同士を識別可能とするアクセスポイント識別情報である店舗ＩＤ（identification）番号４８１である。店舗ＩＤ番号４８１は、ユーザの端末装置２が動画データ１０の配信を予約した際に接続したアクセスポイントである仲介機３を識別するためのものである。実施形態１において、店舗ＩＤ番号４８１は、データ４６により管理されるが、本発明では、店舗７内では共通しているので店舗７内の予約データベース４１以外の記憶装置に記憶しても良い。
【００３０】
実施形態１において、各ユーザに関する情報４７は、ＭＡＣ（Media  Access  Control）アドレス４７１、ユーザ名４７２、電話番号４７３、及びメールアドレス４７４であり、ユーザ同士を識別するためのものである。配信可能時間４９は、各ユーザが動画データ１０の配信を受けることが許容される配信時間の上限である。配信可能時間４９は、受付予約サーバ４の操作部１８などから適宜設定される時間であり、端末装置２が動画データ１０の配信を受け付けた時間に応じて減少する時間である。データ４６が配信可能時間４９を含むことにより、情報処理システム１は、端末装置２が仲介機３を介してネットワーク６に接続した状態で後述する無料で配信することが定められた動画データ１０の配信を受けることが許容される配信時間の上限が設定される。
【００３１】
また、実施形態１において、データ４６は、各ユーザに関する情報４７と、ユーザが動画データの配信を予約した店舗７に関する情報４８と、配信可能時間４９とに加えて、各ユーザの予約番号４９１及び受付状態４９２を対応付けている。予約番号４９１は、受付予約サーバ４が、予約を受け付けるごとに順に付される番号であり、実施形態１では、１から順に大きくなる三ケタの自然数である。受付状態４９２は、動画データ１０の予約を受け付けて、動画データ１０が未配信であることを示す「予約中」（受付け待ち中の状態）を示す。受付状態４９２は、「予約中」に加え、動画データ１０の予約を受け付けた動画データの予約を破棄したことを示す「キャンセル」（予約をキャンセルした状態）を示す。受付状態４９２は、「予約中」及び「キャンセル」に加え、と、動画データ１０の予約を受け付けて、動画データ１０が配信済であることを示す「対応完了」（店舗内で対応が完了した状態）を示す。
【００３２】
（動画配信サーバの機能構成）
図７は、図１に示された情報処理システムの動画配信サーバの構成を示す機能ブロック図である。図８は、図７に示された動画配信サーバの動画データベース内のデータの一例を示す図である。図９は、図７に示された動画配信サーバのアクセス管理データベース内に生成されるデータの一例を示す図である。図１０は、図７に示された動画配信サーバの動画データベース内に生成されるユーザ情報データの一例を示す図である。
【００３３】
動画配信サーバ５は、受付予約サーバ４が予約を受け付けた動画データ１０を端末装置２からの配信要求に基づいて配信するものである。動画配信サーバ５は、図７に示すように、コントローラ５０、ネットワークＩ／Ｆ１９、動画データベース５１及びアクセス管理データベース５２を含む。
【００３４】
動画データベース５１は、複数の動画データ１０と、図８に示すデータ５８を記憶している。データ５８は、図８に示すように、各動画データ１０毎に、タイトル５８１、各動画データ１０の種別（年齢制限の有無）５８２、各動画データ１０のジャンル５８３、及び各動画データ１０の再生時間５８４を対応付けている。
【００３５】
コントローラ５０は、ソフトウェアとハードウェアとの組み合わせによって構成され、動画配信サーバ５全体を制御する制御手段として機能する。コントローラ５０は、図７に示すように、機器監視部５３、コマンド解析部５４、ネットワーク制御部５５、アクセス管理部５６及び動画管理部５７を含む。
【００３６】
機器監視部５３は、ネットワーク６に接続されている機器と、その状態を監視する。コマンド解析部５４は、端末装置２から受けたコマンド指示（要求：動画配信、種別：店舗、店舗ＩＤ番号４８１及び後述するユーザＩＤ番号５９２）を解析し、アクセス管理部５６にアクセス権の確認（種別：店舗、店舗ＩＤ番号４８１及びユーザＩＤ番号５９２）を要求する。
【００３７】
アクセス管理部５６は、アクセス管理データベース５２に記憶された図９に一例を示すデータ５９から登録済みの店舗であること確認するとアクセス許可をコマンド解析部５４へ応答する。アクセス許可を受けたコマンド解析部５４は、引き続き動画管理部５７へアクセス許可に基づいて動画データ１０を要求する。動画管理部５７は、要求された動画データ１０に年齢制限が無いことを確認すると動画データ１０をネットワーク制御部５５を介して端末装置２に配信する。ネットワーク制御部５５は、ネットワークＩ／Ｆ１９を介して入力される情報を取得すると共に、ネットワークＩ／Ｆ１９を介して他の機器に情報を送信する。アクセス管理部５６は、動画管理部５７が動画データ１０を配信すると、配信した動画データ１０に関する情報を図１０に示すユーザ情報データ６０に書き加える。
【００３８】
なお、図７に示すコントローラ５０の機器監視部５３、コマンド解析部５４、アクセス管理部５６、動画管理部５７及びネットワーク制御部５５の機能は、ＲＯＭ１３に格納されたプログラムや、ＨＤＤ１４若しくは光学ディスク等の記憶媒体からＲＡＭ１２に読み込まれたプログラムに従ってＣＰＵ１１が演算を行うことにより実現される。動画データベース５１及びアクセス管理データベース５２の機能は、ＨＤＤ１４により実現される。
【００３９】
また、図９に示すデータ５９は、操作部１８の操作等により適宜登録され、動画配信サーバ５にアクセスが許可されたユーザ又は店舗に関する情報を、各ユーザ又は店舗毎に対応付けている。実施形態１において、ユーザ又は店舗に関する情報は、ユーザ又は店舗であることを示す種別５９１、店舗ＩＤ番号４８１又はユーザＩＤ（identification）番号５９２、各ユーザ又は店舗の公開レベル５９３である。ユーザＩＤ番号５９２は、ユーザ即ち端末装置２同士を識別可能とする端末識別情報である。種別５９１は、情報処理システム１の契約済みである契約済みユーザ又は店舗７であることを定めている。公開レベル５９３は、端末装置２に配信する動画データ１０を無制限又は制限付きで配信することを定めている。無制限とは、全ての動画データ１０の視聴が可能であることを定め、制限付きとは、年齢制限のない動画データ１０の視聴が可能であることを定めている。図９に示すデータ５９の公開レベル５９３の無制限又は制限付きであるとは、配信の可否を定める制限である。なお、図９に示すデータ５９は、契約済みユーザが一つのみ登録されているが、本発明では、契約済みユーザが複数登録されても良い。このために、図９に示すデータ５９は、複数の契約済みユーザ即ち複数の端末装置２同士を識別するための識別管理情報である。
【００４０】
図１０に示すユーザ情報データ６０は、アクセス管理データベース５２内にアクセス管理部５６により生成される。ユーザ情報データ６０は、データ５９に登録された各ユーザが過去に配信を受けて視聴した動画データ１０の情報６１とユーザを示す情報６２とを各ユーザ毎に対応付けたものである。実施形態１において、ユーザを示す情報６２は、ユーザＩＤ番号６２１、名前６２２、年齢６２３、及び性別６２４である。実施形態１において、各ユーザが過去に配信を受けて視聴した動画データ１０の情報６１は、各ユーザが過去に視聴した動画データ１０のタイトル６１１、ジャンル６１２、及び視聴日６１３である。なお、ユーザ情報データ６０の動画データ１０のジャンル６１２は、各端末装置２に配信した動画データ１０の嗜好を示す嗜好情報である。このように、動画配信サーバ５は、嗜好情報を含むユーザ情報データ６０を記憶している。
【００４１】
前述した動画配信サーバ５のコントローラ５０は、例えば、以下のように動作する。コマンド解析部５４は、端末装置２からタイトルが「ＢＢＢ」の動画データ１０の配信要求１０１を、店舗ＩＤ番号「１２３４５」とともに受け付けると、解析し、アクセス管理部５６に店舗ＩＤ番号「１２３４５」の店舗７のアクセス権を確認する。アクセス管理部５６は、店舗ＩＤ番号「１２３４５」の店舗７がデータ５９に登録されていることを確認すると、データ５９から店舗ＩＤ番号「１２３４５」の店舗７の公開レベル５９３を読み出す。アクセス管理部５６は、公開レベル５９３に応じたアクセス許可をコマンド解析部５４に応答する。コマンド解析部５４は、タイトルが「ＢＢＢ」の動画データ１０を要求する。動画管理部５７は、データ５８を参照してタイトルが「ＢＢＢ」の動画データ１０に年齢制限が無いことを確認すると、動画データ１０をネットワーク制御部５５を介して端末装置２に配信する。
【００４２】
（端末装置の機能構成）
図１１は、図１に示された情報処理システムの端末装置の構成を示す機能ブロック図である。実施形態１において、端末装置２は、店舗７内においてユーザが仲介機３を介してＬＡＮ８に接続して、受付予約サーバ４に動画データ１０の配信の予約を行うものである。端末装置２は、図１１に示すように、操作部１８、表示部１７、ネットワークＩ／Ｆ１９及び近距離通信Ｉ／Ｆ２０に加え、コントローラ２１を含む。
【００４３】
また、コントローラ２１は、ネットワーク制御部２２、操作制御部２３、表示制御部２４、近距離通信制御部２５、音声再生部及びクライアントアプリケーション２６を含む。端末装置２は、近距離通信Ｉ／Ｆ２０が仲介機３と無線接続することにより、仲介機３を介してネットワーク６に接続する。
【００４４】
コントローラ２１は、ソフトウェアとハードウェアとの組み合わせによって構成される。コントローラ２１は、端末装置２全体を制御する制御手段として機能する。ネットワーク制御部２２は、ネットワークＩ／Ｆ１９を介して入力される情報を取得すると共に、ネットワークＩ／Ｆ１９を介して他の機器に情報を送信する。近距離通信制御部２５は、近距離通信Ｉ／Ｆ２０を介して入力される情報を取得すると共に、近距離通信Ｉ／Ｆ２０を介して他の機器に情報を送信する。
【００４５】
操作制御部２３は、操作部１８に対するユーザによる操作内容の信号を取得し、クライアントアプリケーション２６等の端末装置２において動作するモジュールに入力する。表示制御部２４は、クライアントアプリケーション２６のＧＵＩ(Graphical  User  Interface)等、端末装置２の状態を表示部１７に表示させる。音声再生部は、クライアントアプリケーション２６の音声情報等を音声出力ユニットに出力する。
【００４６】
クライアントアプリケーション２６は、端末装置２において各種の機能を提供するソフトウェアモジュールであり、夫々の機能に対応したソフトウェア・プログラムによって構成される。クライアントアプリケーション２６は、ＨＤＤ１４に記憶される。また、実施形態１において、クライアントアプリケーション２６は、近距離通信Ｉ／Ｆ２０、仲介機３を介してネットワーク６及びＬＡＮ８に情報通信可能な状態で接続するためのアプリケーションソフトウェアである簡単接続アプリ２６１を含む。クライアントアプリケーション２６は、動画配信サーバ５から配信された動画データ１０を視聴するためのアプリケーションソフトウェアである動画アプリ２６２を含む。動画アプリ２６２は、配信を受けた動画データ１０をユーザが視聴するためにＧＵＩ(Graphical  User  Interface)及び音声等を表示部１７及び音声出力部に出力するアプリケーションソフトウェアでもある。
【００４７】
（情報処理システムの動作及び情報処理方法の説明）
次に、実施形態１に係る情報処理システム１の動作、即ち、実施形態１に係る情報処理方法を説明する。図１２は、実施形態１に係る情報処理システムの受付予約サーバに動画データの配信の予約が完了した後の動作を示すシーケンス図である。図１３は、図１２に示されたステップＳＴ２において表示部に表示する無料配信受信可能表示の一例を示す図である。図１４は、図１２に示されたステップＳＴ２において表示部に表示する無料配信受信可能表示の他の例を示す図である。図１５は、図１２に示されたステップＳＴ５において動画配信サーバが送信する一覧情報の一例を示す図である。図１６は、図１２に示されたステップＳＴ６において動画配信サーバが実施するフローチャートである。
【００４８】
実施形態１に係る情報処理システム１は、端末装置２が簡単接続アプリ２６１を起動して店舗７内で仲介機３に情報通信可能な状態で接続する。端末装置２のコントローラ２１は、近距離通信Ｉ／Ｆ２０を介して仲介機３に情報通信可能に接続すると、仲介機３から店舗ＩＤ番号４８１を取得する。端末装置２のコントローラ２１は、受付予約サーバ４に動画データ１０の配信の予約を送信する。端末装置２のコントローラ２１は、受付予約サーバ４に動画データ１０の配信の予約を送信する際に、取得した店舗ＩＤ番号４８１等を送信する。受付予約サーバ４は、仲介機３を介してネットワーク６及びＬＡＮ８に接続した端末装置２から動画データ１０の配信の予約を受け付け、受け付けた予約の各種の情報をデータ４６に書き加え、予約を完了する。
【００４９】
実施形態１に係る情報処理システム１は、受付予約サーバ４が端末装置２からの動画データ１０の配信の予約が完了してからの動作に特徴を有する。このため、本明細書は、以下、動画データ１０の配信の予約が完了してからの情報処理システム１の動作即ち実施形態１に係る情報処理方法を説明する。
【００５０】
情報処理システム１は、受付予約サーバ４が、端末装置２から受付予約サーバ４への動画データ１０の配信の予約を完了すると、簡単接続アプリ２６１を動作中でかつ仲介機３を介してネットワーク６及びＬＡＮ８に接続した端末装置２のコントローラ２１に予約完了情報１００を送信する（ステップＳＴ１）。実施形態１では、予約完了情報１００は、動画データ１０の配信の予約が完了したことを示し、動画データ１０の予約の際に端末装置２が接続した仲介機３を有する店舗７の店舗ＩＤ番号４８１及び予約番号４９１を含む。
【００５１】
簡単接続アプリ２６１を動作中の端末装置２のコントローラ２１は、予約完了情報１００を受信すると、図１３及び図１４に示すように、無料配信受信可能表示２７を端末装置２の表示部１７に表示する（ステップＳＴ２）。無料配信受信可能表示２７は、動画配信サーバ５の動画データベース５１に記憶された複数の動画データ１０のうち無料で配信することが定められた動画データ１０の無料の配信を受けることが可能であることを示す。
【００５２】
なお、図１３に示す無料配信受信可能表示２７は、動画アプリ２６２が端末装置２のＨＤＤ１４にインストール済みである場合に、動画アプリ２６２を起動させるための起動開始表示２７１である。図１４に示す無料配信受信可能表示２７は、動画アプリ２６２が端末装置２のＨＤＤ１４に未インストールである場合に、ネットワーク６を介して動画アプリ２６２をＨＤＤ１４にインストールするためのインストール開始表示２７２である。実施形態１では、端末装置２のコントローラ２１は、予約完了情報１００を受信すると、端末装置２のＨＤＤ１４の記憶領域をサーチして、クライアントアプリケーション２６が動画アプリ２６２を含んでいるが否かを判定する。端末装置２のコントローラ２１は、動画アプリ２６２を含んでいると判定すると起動開始表示２７１を表示部１７に表示し、含んでいないと判定するとインストール開始表示２７２を表示部１７に表示する。
【００５３】
端末装置２のコントローラ２１は、ユーザからの起動開始表示２７１の操作を検出すると、動画アプリ２６２を起動する（ステップＳＴ３）。端末装置２のコントローラ２１は、ユーザからのインストール開始表示２７２の操作を検出すると、動画アプリ２６２をＨＤＤ１４にインストールした後に起動する（ステップＳＴ３）。端末装置２のコントローラ２１は、動画アプリ２６２の起動時に仲介機３を有する店舗７の店舗ＩＤ番号４８１を取得する。
【００５４】
端末装置２のコントローラ２１は、動画アプリ２６２を起動すると、図１５に示す一覧情報６３の要求１０２を動画配信サーバ５に送信する（ステップＳＴ４）。実施形態１において、端末装置２のコントローラ２１は、一覧情報６３の要求１０２とともに、ユーザの種別、アクセスポイント識別情報である店舗ＩＤ番号４８１を動画配信サーバ５に送信する。
【００５５】
図１５に示す一覧情報６３は、無料で配信することが定められた動画データ１０の一覧を示す。一覧情報６３は、データ５８とデータ５９とを参照した動画配信サーバ５のコントローラ５０により生成される。一覧情報６３は、動画データ１０のタイトル５８１と、視聴の可否６３１とを対応付けている。
【００５６】
動画配信サーバ５のコントローラ５０は、一覧情報６３の視聴の可否６３１を設定する際に、一覧情報６３の要求１０２とともに受け付けたユーザの種別、店舗ＩＤ番号４８１とに基づいて、図９に示すデータ５９からユーザの公開レベル５９３を特定する。動画配信サーバ５のコントローラ５０は、特定した公開レベル５９３に基づいて、図８に示すデータ５８の各タイトル５８１の動画データ１０の種別５８２から各タイトル５８１の動画データ１０の年齢制限の有無を求めて、視聴の可否６３１を設定する。
【００５７】
視聴の可否６３１は、ユーザが「視聴不可」である又は「視聴可」であることを定めている。なお、「視聴不可」は、データ５９の公開レベル５９３が「制限付き」でかつデータ５８の種別５８２が「年齢制限有り」の場合に定められる。「視聴可」は、データ５９の公開レベル５９３が「制限付き」でかつデータ５８の種別５８２が「年齢制限なし」の場合及びデータ５９の公開レベル５９３が「無制限」の場合に定められる。動画配信サーバ５のコントローラ５０は、動画アプリ２６２を動作中の端末装置２のコントローラ２１に生成した一覧情報６３を送信する（ステップＳＴ５）。
【００５８】
端末装置２のコントローラ２１は、動画アプリ２６２を動作させている状態で、表示部１７に一覧情報６３を表示する。端末装置２のコントローラ２１は、一覧情報６３の一つの動画データ１０が選択されたことを検出すると、選択された動画データ１０の配信要求１０１を動画配信サーバ５に送信する（ステップＳＴ６）。実施形態１では、端末装置２のコントローラ２１は、選択された動画データ１０の配信要求１０１を動画配信サーバ５に送信する際に、ユーザの種別、店舗ＩＤ番号４８１、選択され動画データ１０のタイトル５８１を動画配信サーバ５に送信する。
【００５９】
動画配信サーバ５のコントローラ５０は、選択された動画データ１０の配信要求１０１を受け付けると、図１６に示すフローチャートを実施する。動画配信サーバ５のコントローラ５０は、アクセス管理データベース５２内のデータ５９を参照して、選択された動画データ１０の配信要求１０１とともに受け付けた種別５９１及び店舗ＩＤ番号４８１の公開レベル５９３を特定する（ステップＳＴ６１）。動画配信サーバ５のコントローラ５０は、特定した公開レベル５９３が制限付きであるか否かを判定する（ステップＳＴ６２）。
【００６０】
動画配信サーバ５のコントローラ５０は、特定した公開レベル５９３が制限付きであると判定する（ステップＳＴ６２：Ｙｅｓ）と、データ５８を参照して、選択された動画データ１０の種別５８２を特定する（ステップＳＴ６３）。動画配信サーバ５のコントローラ５０は、選択された動画データ１０の種別５８２が年齢制限なしか否かを判定する（ステップＳＴ６４）。動画配信サーバ５のコントローラ５０は、選択された動画データ１０の種別５８２が年齢制限なしではないと判定する（ステップＳＴ６４：Ｎｏ）と、動画アプリ２６２を動作中の端末装置２のコントローラ２１に選択された動画データ１０が配信不可である旨を送信（ステップＳＴ６５）し、端末装置２のコントローラ２１が表示部１７に選択された動画データ１０が配信不可である旨を表示する。
【００６１】
動画配信サーバ５のコントローラ５０は、特定した公開レベル５９３が制限付きではないと判定する（ステップＳＴ６２：Ｎｏ）と、選択された動画データ１０を再生して、端末装置２のコントローラ２１に配信（ステップＳＴ７）する。動画配信サーバ５のコントローラ５０は、選択された動画データ１０の種別５８２が年齢制限なしであると判定する（ステップＳＴ６４：Ｙｅｓ）と、選択された動画データ１０を再生して、端末装置２のコントローラ２１に配信（ステップＳＴ７）する。ステップＳＴ７では、端末装置２のコントローラ２１は、配信を受けた動画データ１０を表示部１７に表示する。
【００６２】
また、実施形態１に係る情報処理システム１は、無料で配信することが定められた動画データ１０の配信中に、端末装置２が受付予約サーバ４に動画データ１０の予約の破棄１０５を送信する（ステップＳＴ８）ことがある。端末装置２が予約の破棄１０５を送信する際には、店舗ＩＤ番号４８１及び予約番号４９１を送信する（ステップＳＴ８）。受付予約サーバ４が、予約を受け付けた端末装置２から動画データ１０の予約の破棄１０５を店舗ＩＤ番号４８１及び予約番号４９１とともに受け付けると、動画配信サーバ５が無料で配信することが定められた動画データ１０の配信を終了する（ステップＳＴ９）。なお、ステップＳＴ６は、動画配信サーバ５が、端末装置２から無料で配信することが定められた動画データ１０の配信要求１０１を受け付ける無料配信受付ステップである。ステップＳＴ７は、動画配信サーバ５が、無料で配信することが定められた動画データ１０を受付予約サーバ４が予約を受け付けた端末装置２に配信する無料配信ステップである。
【００６３】
前述した情報処理システム１は、例えば、以下のように動作する。動画アプリ２６２を起動した端末装置２のコントローラ２１がステップＳＴ３において仲介機３から店舗ＩＤ番号「１２３４５」を受け付ける。この場合、端末装置２のコントローラ２１は、ステップＳＴ４において動画配信サーバ５に一覧情報６３の要求１０２とともにユーザの種別が「店舗」であり、店舗ＩＤ番号が「１２３４５」である情報を送信する。動画配信サーバ５のコントローラ５０は、アクセス管理データベース５２に記憶されたデータ５９を参照して、種別５９１が「店舗」でかつ店舗ＩＤ番号が「１２３４５」の公開レベル５９３が「制限付き」であることを特定する。動画配信サーバ５のコントローラ５０は、動画データベース５１内のデータ５８を参照して、特定した公開レベル５９３と各動画データ１０の種別５８２とから各動画データ１０の視聴の可否６３１を設定する。
【００６４】
実施形態１では、データ５８において、タイトル「ＡＡＡ」の動画データ１０の種別５８２が「年齢制限有り」であり、タイトル「ＢＢＢ」及び「ＣＣＣ」の動画データ１０の種別５８２が「年齢制限なし」であり、特定した公開レベル５９３が「制限付き」である。動画配信サーバ５のコントローラ５０は、タイトル「ＡＡＡ」の動画データ１０の視聴の可否６３１を「視聴不可」と設定し、タイトル「ＢＢＢ」及び「ＣＣＣ」の動画データ１０の視聴の可否６３１を「視聴可」と設定した一覧情報６３を生成する。情報処理システム１は、ステップＳＴ６において、動画配信サーバ５のコントローラ５０が選択された動画データ１０のタイトル「ＢＢＢ」の配信要求１０１を受け付けると、ステップＳＴ７において、タイトル「ＢＢＢ」の動画データ１０を再生して、端末装置２に配信する。
【００６５】
次に、実施形態１に係る情報処理システムの端末装置が仲介機を介してネットワークに接続した後の動作を説明する。図１７は、実施形態１に係る情報処理システムの端末装置が仲介機を介してネットワークに接続した後の動作を示すシーケンス図である。図１８は、図１７に示されたステップＳＴ１７において動画配信サーバが送信する一覧情報の一例を示す図である。
【００６６】
実施形態１に係る情報処理システム１は、端末装置２のコントローラ２１が簡単接続アプリ２６１を起動すると、簡単接続アプリ２６１が、近距離通信Ｉ／Ｆ２０及び仲介機３を介してネットワーク６に情報通信可能に接続（ステップＳＴ１１）する。接続が完了すると、簡単接続アプリ２６１を動作中の端末装置２のコントローラ２１は、接続完了を示す情報を仲介機３から近距離通信Ｉ／Ｆ２０を介して受け付ける（ステップＳＴ１２）。簡単接続アプリ２６１を動作中の端末装置２のコントローラ２１は、接続完了を示す情報を受け付けた後、無料配信受信可能表示２７を端末装置２の表示部１７に表示する（ステップＳＴ１３）。なお、端末装置２のコントローラ２１は、ステップＳＴ１３において、図１２の場合と同様に、起動開始表示２７１又はインストール開始表示２７２を表示部１７に表示する。
【００６７】
端末装置２のコントローラ２１は、起動開始表示２７１又はインストール開始表示２７２の操作を検出すると、動画アプリ２６２を起動する（ステップＳＴ１４）。端末装置２のコントローラ２１は、動画アプリ２６２の起動時に仲介機３を有する店舗７の店舗ＩＤ番号４８１を取得する。端末装置２のコントローラ２１は、動画アプリ２６２の起動後に、無料で配信することが定められた動画データ１０の一覧を示す図１８に示す一覧情報６３−１の要求１０２を動画配信サーバ５に送信する（ステップＳＴ１５）。なお、実施形態１において、一覧情報６３−１の要求１０２は、店舗ＩＤ番号４８１、ユーザＩＤ番号５９２とともに送信される。
【００６８】
動画配信サーバ５のコントローラ５０は、一覧情報６３−１の要求１０２を受け付けると、データ５８，データ５９，６０を参照して、一覧情報６３−１を生成する（ステップＳＴ１６）。一覧情報６３−１を生成する際には、動画配信サーバ５のコントローラ５０は、ユーザ情報データ６０を参照して、ジャンル６１２の配信頻度の多い順を特定する。動画配信サーバ５のコントローラ５０は、データ５８内の動画データ１０のタイトル５８１を配信頻度の多いジャンル５８３の順に並べて、各動画データ１０のタイトル５８１とジャンル５８３とを対応付けて一覧情報６３−１を生成する。こうして、一覧情報６３−１には、配信頻度の高いジャンル５８３の動画データ１０が優先される。また、図１８に示す一覧情報６３−１は、動画データ１０のタイトル５８１と、ジャンル５８３とに加え、図１５に示す一覧情報６３の視聴の可否６３１を対応付けても良い。なお、一覧情報６３−１の視聴の可否６３１は、図１５に示す場合と同様に設定される。
【００６９】
動画配信サーバ５のコントローラ５０は、生成した一覧情報６３−１を動画アプリ２６２を動作中の端末装置２のコントローラ２１に送信する（ステップＳＴ１７）。端末装置２のコントローラ２１は、一覧情報６３−１の一つの動画データ１０が選択されたことを検出すると、選択された動画データ１０の配信要求１０１を動画配信サーバ５に送信する（ステップＳＴ１８）。実施形態１では、端末装置２のコントローラ２１は、選択された動画データ１０の配信要求１０１とともに、店舗ＩＤ番号４８１、ユーザＩＤ番号５９２、選択され動画データ１０のタイトル５８１を動画配信サーバ５に送信する。
【００７０】
動画配信サーバ５のコントローラ５０は、選択された動画データ１０の配信要求１０１を受け付けると、動画データ１０の配信要求１０１とともに受け付けたユーザＩＤ番号５９２がアクセス管理データベース５２のデータ５９に記憶されているか否かを判定する。動画配信サーバ５のコントローラ５０は、動画データ１０の配信要求とともに受け付けたユーザＩＤ番号５９２がデータ５９に記憶されていないと判定すると、端末装置２のコントローラ２１に動画データ１０が配信不可である旨を送信する。端末装置２のコントローラ２１が表示部１７に選択された動画データ１０が配信不可である旨を表示する。
【００７１】
動画配信サーバ５のコントローラ５０は、動画データ１０の配信要求１０１とともに受け付けたユーザＩＤ番号５９２がデータ５９に記憶されていると判定すると、選択された動画データ１０を再生して、端末装置２のコントローラ２１に配信（ステップＳＴ１９）する。端末装置２のコントローラ２１は、配信を受けた動画データ１０を表示部１７に表示する。こうして、動画配信サーバ５は、仲介機３と接続した端末装置２からユーザＩＤ番号５９２と動画データ１０の配信要求１０１を受け付けて、受け付けたユーザＩＤ番号５９２がデータ５９に記憶されていると、動画データ１０を端末装置２に配信する。また、実施形態１では、動画配信サーバ５のコントローラ５０は、仲介機３を介して動画データ１０の配信要求１０１を受け付けると、動画データ１０の配信を予約した端末装置２のみに無料で配信することが定められた動画データ１０を配信する。
【００７２】
また、実施形態１に係る情報処理システム１は、無料で配信することが定められた動画データ１０の配信中に端末装置２から動画配信サーバ５が動画データ１０の配信の中断要求１０３を受け付ける（ステップＳＴ２０）ことがある。この場合、動画配信サーバ５のコントローラ５０は、中断情報である配信開始からの経過時間をＨＤＤ１４に記憶（ステップＳＴ２１）し、端末装置２への動画データ１０の配信を中断する（ステップＳＴ２２）。
【００７３】
実施形態１に係る情報処理システム１は、端末装置２から過去に無料で配信することが定められた動画データ１０の配信中に中断要求１０３を受け付けた動画データ１０の配信要求１０４を動画配信サーバ５が受け付ける（ステップＳＴ２３）ことがある。この場合、動画配信サーバ５のコントローラ５０は、中断情報である配信開始からの経過時間をＨＤＤ１４から読み出して、配信要求１０４された動画データ１０を読み出した経過時間から再生して、端末装置２へ動画データ１０を中断直後から配信する（ステップＳＴ２４）。こうして、動画配信サーバ５は、仲介機３を介してネットワーク６に接続した状態で動画データ１０の配信中に中断要求１０３を受け付けた端末装置２から中断した動画データ１０の配信要求１０４を受け付けると、動画データ１０を中断直後から配信する。なお、実施形態１に係る情報処理システム１は、ステップＳＴ２０からステップＳＴ２４を図１２に示す場合に実施しても良く、ステップＳＴ８及びステップＳＴ９を図１７に示す場合に実施しても良い。
【００７４】
前述した情報処理システム１は、例えば、以下のように動作する。情報処理システム１は、端末装置２のコントローラ２１がステップＳＴ１４において仲介機３から店舗ＩＤ番号「１２３４５」を受け付ける。端末装置２のコントローラ２１は、ステップＳＴ１５において、動画配信サーバ５に一覧情報６３−１の要求とともに店舗ＩＤ番号が「１２３４５」である情報及びユーザＩＤ番号が「１１１１」である情報を送信する。ステップＳＴ１８において、動画配信サーバ５のコントローラ５０は、動画データ１０の配信要求とともに店舗ＩＤ番号が「１２３４５」である情報、ユーザＩＤ番号が「１１１１」である情報及び選択された動画データ１０のタイトル５８１を示す情報を受け付ける。ステップＳＴ１９において、動画配信サーバ５のコントローラ５０は、受け付けたタイトル５８１の動画データ１０を再生して、動画アプリ２６２を動作中の端末装置２に送信する。
【００７５】
実施形態１に係る情報処理システム１及び情報処理方法は、予約を受け付けた端末装置２に動画配信サーバ５が無料で配信することが定められた動画データ１０を配信するので、店舗７内のユーザが配信された動画データ１０を視聴できる。その結果、情報処理システム１及び情報処理方法は、店舗７内のユーザが時間を持て余すことを抑制することができる。情報処理システム１及び情報処理方法は、店舗７内のユーザが配信された動画データ１０を視聴できるので、情報処理システム１の価値をユーザに体験してもらい、有料サービスの新規契約の機会を増やすことができる。
【００７６】
情報処理システム１は、予約を完了すると、端末装置２の表示部１７に無料配信受信可能表示２７を表示するので、動画アプリ２６２の存在に気づかないユーザに情報処理システム１のサービス提供の機会を作ることができる。情報処理システム１は、動画アプリ２６２がインストール済である場合に起動開始表示２７１を表示し、動画アプリ２６２が未インストールである場合にインストール開始表示２７２を表示するので動画アプリ２６２へのアクセシビリティ（Accessibility）を高めることができる。
【００７７】
情報処理システム１は、仲介機３を介してネットワーク６に接続して無料で配信することが定められた動画データ１０の配信要求を送信する際に、店舗ＩＤ番号４８１を送信するので、ユーザが個人情報を登録する事無く動画データの視聴が可能である。また、情報処理システム１は、面倒な個人情報登録を省略することでユーザに動画データ１０を配信するサービスの提供の機会を作ることができる。
【００７８】
情報処理システム１は、仲介機３を介してネットワーク６に接続して無料で配信することが定められた動画データ１０の配信をユーザが受ける際に配信可能時間４９が設定されるので、限られた店舗７内のスペースがユーザで混雑することを回避できる。情報処理システム１は、配信の予約の破棄を受け付けると動画配信サーバ５が動画データ１０の配信を終了するので、用事なく、ユーザが無料で配信することが定められた動画データ１０の視聴のためだけに来店し、店舗７内が混雑することを抑制できる。
【００７９】
情報処理システム１は、データ５９にユーザＩＤ番号５９２が記憶された端末装置２がネットワーク６に接続すると動画データ１０を端末装置２に配信するので、データ５９にユーザＩＤ番号が記憶されたユーザが時間を持て余すことを抑制できる。また、情報処理システム１は、ネットワーク６接続時に端末装置２の表示部１７が無料配信受信可能表示２７を表示するので、既に動画アプリ２６２をインストールしているユーザに無料の動画データ１０の配信サービスを通知することができる。
【００８０】
情報処理システム１は、一覧情報６３には配信頻度の高いジャンル５８３の動画データ１０が優先されるので、ユーザが視聴する頻度の高いジャンル５８３の動画データ１０が優先的に表示部１７に表示される。その結果、情報処理システム１は、ユーザが好む動画データ１０をすぐ見つけることができる。情報処理システム１は、動画データ１０の配信を予約した端末装置２のみに無料で配信することが定められた動画データ１０を配信するので、土日などの混雑する日に、ユーザが用事なく無料の動画データ１０の視聴のためだけに来店することを抑制できる。
【００８１】
情報処理システム１は、配信を中断した動画データ１０の配信要求を受け付けると、動画配信サーバ５が動画データ１０の中断直後から配信する。その結果、情報処理システム１は、１回の来店で動画データ１０を最後まで視聴できなかった場合も、再度来店して仲介機３を介してネットワーク６に接続することで、中断後の続きから動画データ１０を視聴することができる。
【００８２】
〔変形例〕
次に、実施形態の変形例に係る情報処理システムを説明する。図１９は、図５に示された受付予約サーバの予約データベース内に生成されるデータの変形例を示す図である。図１９は、図６と同一部分に同一符号を付して説明を省略する。
【００８３】
データ４６−１は、図１９に示すように、配信可能時間４９の代わりに動画データ１０の予約毎に配信可能回数４９−１を対応付けている。配信可能回数４９−１は、各ユーザが動画データ１０の配信を受けることが許容される配信回数の上限である。配信可能回数４９−１は、受付予約サーバ４の操作部１８の操作等により適宜設定される回数であり、端末装置２が動画データ１０の配信を受け付けた回数に応じて減少する値である。なお、図１９に示すデータ４６−１が、各ユーザの配信可能回数４９−１を対応付けていることにより、端末装置２が、無料で配信することが定められた動画データ１０の配信を受けることが許容される配信回数の上限が設定される。
【００８４】
図２０は、図８に示された動画配信サーバの動画データベース内のデータの変形例を示す図である。図２０は、図８と同一部分に同一符号を付して説明を省略する。本発明の情報処理システム１は、動画データベース５１に記憶されたデータ５８−１において、図２０に示すように、ジャンル５８３が対応付けられていなくても良い。
【符号の説明】
【００８５】
１  情報処理システム
２  端末装置
３  仲介機（ネットワーク接続手段、特定のアクセスポイント）
４  受付予約サーバ（受付予約手段）
５  動画配信サーバ（画像情報配信手段）
６  ネットワーク
８  ＬＡＮ（ネットワーク）
１０  動画データ（画像情報）
１４  ＨＤＤ（記憶手段）
１７  表示部（表示手段）
２１  コントローラ（制御手段）
２７  無料配信受信可能表示
４９  配信可能時間（配信時間の上限）
４９−１  配信可能回数（配信回数の上限）
５９  データ（識別管理情報）
６３，６３−１  一覧情報
１００  予約完了情報
１０１  配信要求
１０２  一覧情報の要求
１０３  中断要求
１０４  配信要求
１０５  予約の破棄
２６２  動画アプリ（アプリケーションソフトウェア）
２７１  起動開始表示
２７２  インストール開始表示
４８１  店舗ＩＤ番号（アクセスポイント識別情報）
５９２  ユーザＩＤ番号（端末識別情報）
６１２  ジャンル（嗜好情報）
ＳＴ６  無料配信受付ステップ
ＳＴ７  無料配信ステップ
【先行技術文献】
【特許文献】
【００８６】
【特許文献１】特許第４９８６０４０号公報
【図１】
2019164545.tif 000003
【図２】
2019164545.tif 000004
【図３】
2019164545.tif 000005
【図４】
2019164545.tif 000006
【図５】
2019164545.tif 000007
【図６】
2019164545.tif 000008
【図７】
2019164545.tif 000009
【図８】
2019164545.tif 000010
【図９】
2019164545.tif 000011
【図１０】
2019164545.tif 000012
【図１１】
2019164545.tif 000013
【図１２】
2019164545.tif 000014
【図１３】
2019164545.tif 000015
【図１４】
2019164545.tif 000016
【図１５】
2019164545.tif 000017
【図１６】
2019164545.tif 000018
【図１７】
2019164545.tif 000019
【図１８】
2019164545.tif 000020
【図１９】
2019164545.tif 000021
【図２０】
2019164545.tif 000022